(57)【要約】【課題】  電気製品のスピーカから、例えば、着信したメロディー等の着信音等が、正確に、再生することを検査する、電気製品の音検査装置を提供する。【解決手段】  記憶部に記憶された音声信号の音量値を無音レベルを零とした負方向を正負逆転変換したものを基準音声信号Ｄ１とし、次に、電気製品Ｓから出力される音声信号を集音マイク３において集音した音声信号の音量値を、無音レベルを零とした負方向を正負逆転変換したものを検査音声信号Ｄ２とし、無音として認識するための閾値Ｓｔｈ０を設定し、検査音声信号Ｄ２中に、閾値Ｓｔｈ０以上の音声信号を検出した時点で、基準音声信号Ｄ１と検査音声信号Ｄ２とを経時的に比較し、基準音声信号Ｄ１と検査音声信号Ｄ２との音量値の差が所定以上となる時間を累計し、その累計値が、予め設定された判定用閾値以上になった場合、不一致と判断するようにした。【選択図】        図２
2006033734.tif 000002
【特許請求の範囲】
【請求項１】
基準の音声信号と被検査対象の音声信号の一致性を経時的に調べて、被検査対象の音声信号の一致／不一致を判断する電気製品の音検査方法であって、
前記基準の音声信号の音量値を、無音レベルを零とした正方向、負方向のいずれか一方を正負逆転変換したものを、基準音声信号とし、
前記被検査対象の音声信号の音量値を、無音レベルを零とし、前記基準音声信号と同方向に、正方向、負方向のいずれか一方を正負逆転変換したものを、検査音声信号とし
前記基準音声信号と前記検査音声信号との音量値の差が所定以上となる時間を累計し、
その累計値が、予め設定された判定用閾値以上になった場合、不一致と判断するようにした、電気製品の音検査方法。
【請求項２】
無音として認識するための無音用閾値を音量に設定し、前記基準の音声信号の音量値を、無音レベルを零とした正方向、負方向のいずれか一方を前記正負逆転変換後、前記検査音声信号中に、前記無音用閾値以上の音声信号を検出した時点で、前記基準音声信号と前記検査音声信号とを経時的に比較開始するようにした、請求項１に記載の電気製品の音検査方法。
【請求項３】
基準の音声信号と被検査対象の音声信号の一致性を経時的に調べて、被検査対象の音声信号の一致／不一致を判断する電気製品の音検査装置であって、
前記電気製品に設けられているスピーカから出力される音声信号を集音する集音マイクと、
前記集音マイクが集音した音声信号を格納する記憶部と、前記記憶部に記憶された音声信号の音量値を、無音レベルを零とした正方向、負方向のいずれか一方を正負逆転変換する正負逆転変換手段とを備え、
前記正負逆転変換手段により、前記電気製品を用いて、録音した着信音等の音声信号を再生した音声信号の音量値を、無音レベルを零とした正方向、負方向のいずれか一方を正負逆転変換したものを基準音声信号とし、
次に、前記電気製品を用いて、録音した着信音等の音声信号を再生した音声信号の音量値を、無音レベルを零とし、基準音声信号と同方向に、正方向、負方向のいずれか一方を正負逆転変換したものを検査音声信号とし、
前記基準音声信号と前記検査音声信号との音量値の差が所定以上となる時間を累計し、その累計値が、予め設定された判定用閾値以上になった場合、不一致と判断するようにした、電気製品の音検査方法。
【請求項４】
無音として認識するための無音用閾値を音量に設定する無音用閾値手段と、
前記基準の音声信号の音量値を、無音レベルを零とした正方向、負方向のいずれか一方を前記正負逆転変換後、前記無音用閾値手段により設定した無音用閾値を検出する無音用閾値手段を備え、
前記無音用閾値手段が、前記検査音声信号中に、前記無音用閾値手段により設定した無音用閾値以上の音声信号を検出した時点で、前記基準音声信号と前記検査音声信号とを経時的に比較開始するようにした、請求項３に記載の電気製品の音検査装置。
【請求項５】
録音する音情報サイトを呼び出す情報を記憶する記憶手段と、前記記憶手段に記憶された音情報サイトを呼び出す情報を、前記電気製品の外部入力手段へ入力する外部入力手段入力操作手段とを更に備える、請求項３又は請求項４に記載の電気製品の音検査装置。
【発明の詳細な説明】
【技術分野】
【０００１】
本発明は、電気製品のスピーカから、例えば、着信したメロディー等の着信音等が、正確に、再生することを検査する、電気製品の音検査方法、及び、この電気製品の音検査方法を実施するのに適した電気製品の音検査装置に関する。
【背景技術】
【０００２】
近時、携帯電話機等の情報端末機その他の電気製品として、通常のＤＴＭＦ音とは異なる着信音等を、例えば、着信メロディーサイトからダウンロード（録音）し、これを着信音として用いることができるようにしたものが、幅広く出回っている。
【０００３】
このような電気製品は、工場から出荷する前に、携帯電話機等の情報端末機その他の電気製品が、録音した着信メロディー等の着信音等を正確に再生できるか否かの品質試験が行われている。
【０００４】
ところで、２つの音声信号が同じか否かを比較する方法としては、各々の音声信号を集音マイクにより集音したものを、発振器に入力し、発振器の振幅を記録したものを、重ねたり、並列に表示したりするようなことが、通常、行われている。
【特許文献１】実用新案登録第３０４６９０６号公報
【特許文献２】特開平５−３４３９１号公報
【特許文献３】特開平８−１２３４５４号公報
【特許文献４】特開２００２−３７２９６８号公報
【発明の開示】
【発明が解決しようとする課題】
【０００５】
しかしながら、２つの音声信号が同じか否かを比較する際に、発振器の振幅を記録したものをそのまま用いた場合、２つの音声信号の振幅を記録したものの対比を機械化して行う場合、２つの音声信号が同期して対比されている場合は、問題が無いものの、同期していない場合、例えば、一方の音声信号の振幅が、無音を中心に、「正」側に振れているときに、他方の音声信号の振幅が、無音を中心に、「負」側に振れている場合（図３は無音を中心に振幅が正負に振れることを示す図である。）、これらの差を求めると、実際には、２つの音声信号が同じか又は極めて近似したものであるにも関わらず、２つの音声信号が、著しく、異なっている、と判断することになる。
【０００６】
また、２つの音声信号を、重ねたり、並列に表示したりした場合、２つの音声信号が同じか否かは、目視でおこなったり、又は、大きさ、形を認識させ、同一か否かを判断させる音声認識システムが必要になる、という問題がある。
【０００７】
一方、着信音その他の音声情報の再生ができないような製品を出荷してしまうような事態が発生すると、市場においてそのような製品は欠陥商品となるため、そのような欠陥商品を市場に送り出さないための、録音した着信音その他の音声情報を正確に再生できるか否か等の品質・信頼性試験を、無人で機械によって行うことができるようにした、電気製品の音検査方法及び電気製品の音検査装置の開発が望まれている。
【０００８】
本発明は、以上のような問題を解決するためになされたものであって、工場から出荷する前に、電気製品が録音した着信音その他の音声情報を正確に再生できるか否かといった、電気製品の品質・信頼性試験を無人で機械によって行うことができ、しかも、比較する電気製品が録音した着信音その他の音声情報の再生時間にずれが生じて、実際には、２つの音声信号が同じか又は極めて近似したものであるにも関わらず、２つの音声信号が、著しく、異なっている、という判断をし、電気製品が録音した着信音その他の音声情報を正常に動作するにも関わらず、これを欠陥商品と認識するようなことがない、電気製品の音検査方法、及び、この電気製品の音検査方法を実施するのに適した電気製品の音検査装置を提供することを目的としている。
【課題を解決するための手段】
【０００９】
請求項１に記載の電気製品の音検査方法は、基準の音声信号と被検査対象の音声信号の一致性を経時的に調べて、被検査対象の音声信号の一致／不一致を判断する電気製品の音検査方法であって、基準の音声信号の音量値を、無音レベルを零とした正方向、負方向のいずれか一方を正負逆転変換したものを、基準音声信号とし、被検査対象の音声信号の音量値を、無音レベルを零とし、基準音声信号と同方向に、正方向、負方向のいずれか一方を正負逆転変換したものを、検査音声信号とし、
基準音声信号と検査音声信号との音量値の差が所定以上となる時間を累計し、その累計値が、予め設定された判定用閾値以上になった場合、不一致と判断するようにした。
【００１０】
請求項２に記載の電気製品の音検査方法は、請求項１に記載の電気製品の音検査方法の、無音として認識するための無音用閾値を音量に設定し、基準の音声信号の音量値を、無音レベルを零とした正方向、負方向のいずれか一方を正負逆転変換後、検査音声信号中に、無音用閾値以上の音声信号を検出した時点で、基準音声信号と検査音声信号とを経時的に比較開始するようにした。
【００１１】
請求項３に記載の電気製品の音検査装置は、基準の音声信号と被検査対象の音声信号の一致性を経時的に調べて、被検査対象の音声信号の一致／不一致を判断する電気製品の音検査装置であって、電気製品に設けられているスピーカから出力される音声信号を集音する集音マイクと、集音マイクが集音した音声信号を格納する記憶部と、記憶部に記憶された音声信号の音量値を、無音レベルを零とした正方向、負方向のいずれか一方を正負逆転変換する正負逆転変換手段とを備え、正負逆転変換手段により、電気製品を用いて、録音した着信音等の音声信号を再生した音声信号の音量値を、無音レベルを零とした正方向、負方向のいずれか一方を正負逆転変換したものを基準音声信号とし、次に、電気製品を用いて、録音した着信音等の音声信号を再生した音声信号の音量値を、無音レベルを零とし、基準音声信号と同方向に、正方向、負方向のいずれか一方を正負逆転変換したものを検査音声信号とし、基準音声信号と検査音声信号との音量値の差が所定以上となる時間を累計し、その累計値が、予め設定された判定用閾値以上になった場合、不一致と判断するようにした。
【００１２】
請求項４に記載の電気製品の音検査装置は、請求項３に記載の電気製品の音検査装置の、無音として認識するための無音用閾値を音量に設定する無音用閾値手段と、基準の音声信号の音量値を、無音レベルを零とした正方向、負方向のいずれか一方を正負逆転変換後、無音用閾値手段が、検査音声信号中に、無音用閾値手段により設定した無音用閾値以上の音声信号を検出した時点で、基準音声信号と検査音声信号とを経時的に比較開始するようにした。
【００１３】
請求項５に記載の電気製品の音検査装置は、請求項３又は請求項４に記載の電気製品の音検査装置の、録音する音情報サイトを呼び出す情報を記憶する記憶手段と、記憶手段に記憶された音情報サイトを呼び出す情報を、電気製品の外部入力手段へ入力する外部入力手段入力操作手段とを更に備える。
【発明の効果】
【００１４】
請求項１に記載の電気製品の音検査方法では、基準の音声信号と被検査対象の音声信号の一致／不一致の検査を、無音状態を中心に、正側、負側に振れる振幅をそのまま用いた基準音声信号と、無音状態を中心に、正側、負側に振れる振幅をそのまま用いた検査音声信号とを、同期又は実質的に同期するように、経時的に、比較判断するのではなく、録音記録した音声信号の音量値を、無音レベルを零とした、正方向又負方向のいずれか一方に変換したものを基準音声信号とし、この基準音声信号と、次に、電気製品のスピーカから出力される着信音その他の音声信号の音量値を、無音レベルを零とし、正方向又負方向のいずれか一方に変換した基準音声信号と同方向に、正方向又は負方向に変換した検査音声信号とを、同期又は実質的にするように、経時的に、比較判断するようにしている。
【００１５】
この結果、この電気製品の音検査方法を用いれば、基準音声信号と検査音声信号との２つの音声信号が、同期せず、若干のずれが生じて（実質的に同期して）再生されている場合であっても、電気製品が録音した着信音その他の音声情報が正確に再生できるか否かの検査を、発振器が出力する、無音状態を中心に、正側、負側に振れる振幅をそのまま用いた基準音声信号と、発振器が出力する、無音状態を中心に、正側、負側に振れる振幅をそのまま用いた検査音声信号とが、同期せず若干のずれを生じている場合のように、実際には、２つの音声信号が同じか又は極めて近似したものであるにも関わらず、２つの音声信号が、著しく、異なっている、という判断をすることがない。
【００１６】
ところで、基準の音声信号の音量値を、無音レベルを零とした正方向又は負方向のいずれか一方を正負逆転変換後した場合、実際には、零と規定した無音レベルから、正方向又は負方向のいずれか一方に所定の高さの音レベルが検出される。
【００１７】
従って、例えば、この電気製品の音検査方法において、無音として認識するための閾値（無音用閾値）を設定し、電気製品を用いて、録音した着信音等の音声信号を再生した音声信号中に、無音として認識するための閾値（無音用閾値）以上の音声信号を検出した時点で、基準音声信号と検査音声信号とを経時的に比較し、基準音声信号と検査音声信号との音量値の差が所定以上となる時間を累計し、その累計値が、予め設定された判定用閾値以上になった場合、その電気製品を不良品と判断するようにすれば、従来の、２つの音声信号を、重ねたり、並列に表示したりした場合、２つの音声信号が同じか否かを、目視で行う必要がない。
【００１８】
即ち、この電気製品の音検査方法を用いれば、電気製品が録音した着信音その他の音声信号を正確に再生できるか否かの品質・信頼性試験を、無人で機械によって行うことができる。また、この電気製品の音検査方法を用いれば、大きさ、形を認識させ、同一か否かを判断させるような複雑・高度の音声認識システムを用いることなく、電気製品が録音した着信音その他の音声信号を正確に再生できるか否かの品質・信頼性試験を、無人で機械によって行うことができる。
【００１９】
請求項２に記載の電気製品の音検査方法では、無音として認識するための無音用閾値を音量に設定し、基準の音声信号の音量値を、無音レベルを零とした正方向又は負方向のいずれか一方を正負逆転変換後、検査音声信号中に、無音用閾値以上の音声信号を検出した時点で、基準音声信号と検査音声信号とを経時的に比較開始するようにしている。
【００２０】
基準の音声信号の音量値を、無音レベルを零とした正方向又は負方向のいずれか一方を正負逆転変換後した場合、実際には、零と規定した無音レベルから、正方向又は負方向のいずれか一方に所定の高さの音レベルが検出される。
【００２１】
一方、電気製品が、例えば、着信したメロディー等の着信音等を正確に再現できるかを高精度に且つ高い信頼性でもって検査するためには、基準音声信号と検査音声信号とをできるだけ、同期して、経時的に比較開始するためには、零と規定した無音レベルに対応する、無音として認識するための無音用閾値を設定することが好ましい。
【００２２】
この電気製品の音検査方法では、無音として認識するための無音用閾値を設定し、無音用閾値以上の音声信号を検出した時点で、基準音声信号と検査音声信号とを経時的に比較開始するようにし、基準音声信号と検査音声信号とできるだけ、同期して、経時的に比較できるようにしているので、電気製品が、例えば、着信したメロディー等の着信音等を正確に再現できるかを高精度に且つ高い信頼性でもって検査することができる。
【００２３】
また、この電気製品の音検査方法では、無音として認識するための閾値（無音用閾値）を設定し、電気製品を用いて、録音した着信音等の音声信号を再生した音声信号中に、無音として認識するための閾値（無音用閾値）以上の音声信号を検出した時点で、基準音声信号と検査音声信号とを経時的に比較し、基準音声信号と検査音声信号との音量値の差が所定以上となる時間を累計し、その累計値が、予め設定された判定用閾値以上になった場合、その電気製品を不良品と判断するようにしているので、従来の、２つの音声信号を、重ねたり、並列に表示したりした場合、２つの音声信号が同じか否かを、目視で行う必要がない。
【００２４】
即ち、この電気製品の音検査方法を用いれば、電気製品が録音した着信音その他の音声信号を正確に再生できるか否かの品質・信頼性試験を、無人で機械によって行うことができる。また、この電気製品の音検査方法を用いれば、大きさ、形を認識させ、同一か否かを判断させるような複雑・高度の音声認識システムを用いることなく、電気製品が録音した着信音その他の音声信号を正確に再生できるか否かの品質・信頼性試験を、無人で機械によって行うことができる。
【００２５】
請求項３に記載の電気製品の音検査装置は、請求項１に記載の電気製品の音検査方法を装置クレームとして規定するものであって、この電気製品の音検査装置では、電気製品が録音した着信音その他の音声情報が正確に再生できるか否かの検査を、発振器が出力する、無音状態を中心に、正側、負側に振れる振幅をそのまま用いた基準音声信号と、発振器が出力する、無音状態を中心に、正側、負側に振れる振幅をそのまま用いた検査音声信号とを、同期するように、経時的に、比較判断するのではなく、録音記録した音声信号の音量値を、無音レベルを零とした、正方向又負方向のいずれか一方に変換したものを基準音声信号とし、この基準音声信号と、次に、電気製品のスピーカから出力される着信音その他の音声信号の音量値を、無音レベルを零とし、正方向又負方向のいずれか一方に変換したものを基準音声信号と同方向に、正方向又負方向のいずれか一方に変換した基準音声信号と同方向に、正方向又は負方向に変換した検査音声信号とを、同期又は実質的にするように、経時的に、比較判断するようにしている。
【００２６】
この結果、この電気製品の音検査装置を用いて、電気製品の、例えば、着信したメロディー等の着信音等を正確に再現できるかを検査すれば、基準音声信号と検査音声信号との２つの音声信号が、同期せず、若干のずれが生じて（実質的に同期して）再生されている場合であっても、電気製品が録音した着信音その他の音声情報が正確に再生できるか否かの検査を、発振器が出力する、無音状態を中心に、正側、負側に振れる振幅をそのまま用いた基準音声信号と、発振器が出力する、無音状態を中心に、正側、負側に振れる振幅をそのまま用いた検査音声信号とが、同期せず若干のずれを生じている場合のように、実際には、２つの音声信号が同じか又は極めて近似したものであるにも関わらず、２つの音声信号が、著しく、異なっている、という判断をすることがない。
【００２７】
また、この電気製品の音検査装置において、無音として認識するための閾値（無音用閾値）を設定すれば、電気製品を用いて、録音した着信音等の音声信号を再生した音声信号中に、閾値（無音用閾値）以上の音声信号を検出した時点で、基準音声信号と検査音声信号とを経時的に比較し、基準音声信号と検査音声信号との音量値の差が所定以上となる時間を累計し、その累計値が、予め設定された判定用閾値以上になった場合、その電気製品を不良品と判断するようにすれば、従来の、２つの音声信号を、重ねたり、並列に表示したりした場合、２つの音声信号が同じか否かを、目視で行う必要がない。
即ち、この電気製品の音検査装置を用いれば、電気製品が録音した着信音その他の音声信号を正確に再生できるか否かの品質・信頼性試験を、無人で機械によって行うことができる。
【００２８】
また、この電気製品の音検査装置を用いれば、大きさ、形を認識させ、同一か否かを判断させるような複雑・高度の音声認識システムを用いることなく、電気製品が録音した着信音その他の音声信号を正確に再生できるか否かの品質・信頼性試験を、無人で機械によって行うことができる。
【００２９】
請求項４に記載の電気製品の音検査装置では、無音として認識するための無音用閾値を音量に設定し、基準の音声信号の音量値を、無音レベルを零とした正方向又は負方向のいずれか一方を正負逆転変換後、検査音声信号中に、無音用閾値以上の音声信号を検出した時点で、基準音声信号と検査音声信号とを経時的に比較開始するようにしている。
【００３０】
基準の音声信号の音量値を、無音レベルを零とした正方向又は負方向のいずれか一方を正負逆転変換後した場合、実際には、零と規定した無音レベルから、正方向又は負方向のいずれか一方に所定の高さの音レベルが検出される。
【００３１】
一方、電気製品が、例えば、着信したメロディー等の着信音等を正確に再現できるかを高精度に且つ高い信頼性でもって検査するためには、基準音声信号と検査音声信号とできるだけ、同期して、経時的に比較開始するためには、零と規定した無音レベルに対応する、無音として認識するための無音用閾値を設定することが好ましい。
【００３２】
この電気製品の音検査装置では、無音として認識するための無音用閾値を設定し、無音用閾値以上の音声信号を検出した時点で、基準音声信号と検査音声信号とを経時的に比較開始するようにし、基準音声信号と検査音声信号とできるだけ、同期して、経時的に比較できるようにしているので、電気製品が、例えば、着信したメロディー等の着信音等を正確に再現できるかを高精度に且つ高い信頼性でもって検査することができる。
【００３３】
また、この電気製品の音検査装置では、無音として認識するための閾値（無音用閾値）を設定し、電気製品を用いて、録音した着信音等の音声信号を再生した音声信号中に、無音として認識するための閾値（無音用閾値）以上の音声信号を検出した時点で、基準音声信号と検査音声信号とを経時的に比較し、基準音声信号と検査音声信号との音量値の差が所定以上となる時間を累計し、その累計値が、予め設定された判定用閾値以上になった場合、その電気製品を不良品と判断するようにしているので、従来の、２つの音声信号を、重ねたり、並列に表示したりした場合、２つの音声信号が同じか否かを、目視で行う必要がない。
【００３４】
即ち、この電気製品の音検査装置を用いれば、電気製品が録音した着信音その他の音声信号を正確に再生できるか否かの品質・信頼性試験を、無人で機械によって行うことができる。また、この電気製品の音検査方法を用いれば、大きさ、形を認識させ、同一か否かを判断させるような複雑・高度の音声認識システムを用いることなく、電気製品が録音した着信音その他の音声信号を正確に再生できるか否かの品質・信頼性試験を、無人で機械によって行うことができる。
【００３５】
請求項５に記載の電気製品の音検査装置では、装置で自動的に、品質・信頼性試験の対象となる電気製品に録音する着信音その他の音情報サイトを呼び出すことができるようにしたので、品質・信頼性試験を、音情報サイトの呼び出し段階から、無人で機械によって行うことができる。
【発明を実施するための最良の形態】
【００３６】
以下、本発明に係る電気製品の音検査方法の一例、及び、電気製品の音検査方法の一例を実施するのに好適な電気製品の音検査装置の一例を、図面を参照しながら、更に、詳しく説明する。
【００３７】
図１は、本発明に係る電気製品の音検査装置の構成の一例を概略的に説明する構成図である。
【００３８】
また、図２は、本発明に係る電気製品の音検査方法の一例の概念を模式的に示す説明図である。
この電気製品の音検査装置１は、演算処理手段２と、集音マイク３とを備える。
演算処理手段２は、演算処理部や記憶手段等を備える制御装置４と、表示手段５と、テンキーや、ファンクションキー、文字入力キーその他のキーを有する外部入力手段６とを備える。
【００３９】
この音検査装置１では、品質・信頼性試験の試験対象となる電気製品Ｓを、音検査装置１の所定の場所に設置する。
【００４０】
より特定的に説明すると、この電気製品の音検査装置１を用いて、電気製品Ｓの品質・信頼性試験を行う際には、電気製品Ｓのスピーカ（より特定的には、着信音等の音声情報を出力するために設けられているスピーカ）ＳＰの近傍位置に、集音マイク３をセットする。
【００４１】
尚、図１中、７で示す部材装置は、電気製品（この例では、動画対応の携帯電話）Ｓのキー入力部（電気製品Ｓの外部入力手段）Ｓａを押し操作する外部入力手段入力操作手段を示している。
【００４２】
この例では、外部入力手段入力操作手段７として、キー入力部（電気製品Ｓの外部入力手段）Ｓａの数に対応するように、空気式、油圧式又は電磁式などのアクチュエータ手段を設けたものを用いている。
また、図１中、８で示す部材装置は、品質・信頼性試験の対象となる電気製品Ｓの表示画面が正常に動作するか否か試験を行う際に、電気製品の表示画面を撮像する撮像手段を示している。
【００４３】
また、品質・信頼性試験の対象となる電気製品Ｓは、外部からの音、その他の外乱等を遮断するために、二点鎖線で示したケース体９の中に設置される。
【００４４】
尚、この電気製品の音検査装置１は、検査の品質・信頼性を保持するために、温度及び湿度が一定に保たれた場所に設置されている。
【００４５】
品質・信頼性試験の試験対象となる電気製品（この例では、携帯電話）Ｓは、電気製品（この例では、携帯電話）Ｓのキー入力部（電気製品Ｓの外部入力手段）Ｓａの各々に、外部入力手段入力操作手段７の各々のアクチュエータ手段が正しく押し操作できるように、セットする。
【００４６】
そして、外部入力手段入力操作手段７は、演算処理手段２の記憶部に、音情報サイトを呼び出す情報（アクセス情報、通常は、電話番号又はインターネットのホームページアドレス）を記憶させておき、演算処理手段２の記憶部又は外部入力手段６から発呼信号が入力されると、音情報サイトを呼び出す情報（アクセス情報、通常は、電話番号又はインターネットのホームページアドレス）を電気製品（この例では、携帯電話）Ｓのキー入力部（電気製品Ｓの外部入力手段）Ｓａがダイヤル（入力）するように押し操作するようになっている。
【００４７】
この電気製品の音検査装置１では、電気製品（この例では、携帯電話）Ｓのキー入力部（電気製品Ｓの外部入力手段）Ｓａがダイヤル（入力）することで呼び出され、これにより、スピーカＳＰから出力される着信音その他の音声情報が、集音マイク３によって集音され、集音マイク３によって集音された着信音その他の音声情報が、振幅情報として、時間−音圧（音量）情報の相関データとして、演算処理手段２（より特定的には、制御装置４）の記憶部に格納されるようになっている。
【００４８】
演算処理手段２（より特定的には、制御装置４）の記憶部に格納した、振幅情報は、演算処理手段２（より特定的には、制御装置４）により、絶対値の情報に変換され、時間−音圧情報の絶対値情報の相関データとして、演算処理手段２（より特定的には、制御装置４）の記憶部に格納され表示されるようになっている（図２中、Ｄ１で示すデータを参照。）。
この電気製品の音検査装置１では、演算処理手段２（より特定的には、制御装置４）の記憶部に格納された、時間−音圧情報の絶対値情報の相関データ（図２中、Ｄ１で示すデータを参照。）の中から、無音として認識するための閾値を設定できるようにしている（図２中、無音として認識するための閾値Ｓｔｈ０を参照。）。
【００４９】
この電気製品の音検査装置１では、外部入力手段入力操作手段７を用い、電気製品（この例では、携帯電話）Ｓが録音した着信音その他の音声情報の再生操作を、又は、外部から、品質・信頼性試験の対象になっている、電気製品（この例では、携帯電話）Ｓへダイヤルする等し、電気製品（この例では、携帯電話）Ｓが録音した着信音その他の音声情報の再生をする。
【００５０】
電気製品（この例では、携帯電話）Ｓが録音し、再生している着信音その他の音声情報は、集音マイク３により集音され、集音した、電気製品（この例では、携帯電話）Ｓが録音し、再生している着信音その他の音声情報が、演算処理手段２（より特定的には、制御装置４）へ送られる。
【００５１】
演算処理手段２（より特定的には、制御装置４）は、集音マイク３から送られてくる、電気製品（この例では、携帯電話）Ｓが録音し、再生している着信音その他の音声情報を振幅情報として、時間−音圧情報の相関データとして認識し、これを、絶対値に変換する。
ここで、絶対値に変換する、とは、無音レベルを零とした負方向を正方向に逆転変換することである。
【００５２】
そして、演算処理手段２（より特定的には、制御装置４）は、時間−音圧情報の絶対値情報の相関データ中に、最初に、無音として認識するための閾値Ｓｔｈ０以上の振幅情報の絶対値情報のデータを確認した時点（以下、この位置を比較開始位置Ｓ２とする。）で、予め、演算処理手段２（より特定的には、制御装置４）の記憶部に格納された、時間−音圧情報の絶対値情報の相関データ（図２中、Ｄ１で示すデータを参照。）の再生を開始（以下、この位置を比較開始位置Ｓ１とする。）し、演算処理手段２（より特定的には、制御装置４）は、集音マイク３から送られてくる、電気製品（この例では、携帯電話）Ｓが録音し、再生している着信音その他の音声情報を振幅情報として、時間−音圧情報の相関データとして認識し、これを、絶対値に変換した、時間−音圧情報の絶対値情報の相関データ（図２中、Ｄ２で示すデータを参照。）（以下、「検査音声信号」という。）と、予め、演算処理手段２（より特定的には、制御装置４）の記憶部に格納された、時間−音圧情報の絶対値情報の相関データ（図２中、Ｄ１で示すデータを参照。）（以下、「基準音声信号」という。）とを、比較開始位置Ｓ１、Ｓ２から所定の時間、経時的に比較し、同時間における、基準音声信号と検査音声信号とのレベル差が所定以上となる時間を累計し、この時間の累計値が、予め設定された判定用閾値以上になった場合、品質試験の対象となる電気製品を不良品と判断するようにしている。
【００５３】
以上の説明から明らかなように、この電気製品の音検査装置１では、基準の音声信号と被検査対象の音声信号の一致／不一致の検査を、無音状態を中心に、正側、負側に振れる振幅をそのまま用いた基準音声信号と、無音状態を中心に、正側、負側に振れる振幅をそのまま用いた検査音声信号とを、同期するように、経時的に、比較判断するのではなく、録音記録した音声信号の音量値を、無音レベルを零とした負方向を正負逆転変換したものを基準音声信号（図２に示すデータＤ１を参照。）とし、その次に、電気製品のスピーカＳＰから出力された音声信号の音量値を、無音レベルを零とした負方向を正方向に逆転変換したものを検査音声信号（図２に示すデータＤ２を参照。）とし、基準音声信号（図２に示すデータＤ１を参照。）を、検査音声信号（図２に示すデータＤ２を参照。）中に、無音として認識するための閾値Ｓｔｈ０以上の振幅情報のデータ（音量）を確認した時点（比較開始位置Ｓ２）で、検査音声信号（図２に示すデータＤ２を参照。）と、同期するように、再生し、基準音声信号（図２に示すデータＤ１を参照。）と、検査音声信号（図２に示すデータＤ２を参照。）とを、比較開始位置Ｓ１、Ｓ２から所定の時間、経時的に、比較判断するようにしている。
【００５４】
この結果、この電気製品の音検査装置１では、基準音声信号（図２に示すデータＤ１を参照。）と検査音声信号（図２に示すデータＤ２を参照。）との２つの音声信号が同期せず若干のずれが生じて比較・判断された場合であっても、電気製品が録音した着信音その他の音声情報が正確に再生できるか否かの検査を、発振器が出力する、無音状態を中心に、正側、負側に振れる振幅をそのまま用いた基準音声信号と、発振器が出力する、無音状態を中心に、正側、負側に振れる振幅をそのまま用いた検査音声信号とが、同期せず若干のずれを生じている場合のように、実際には、２つの音声信号が同じか又は極めて近似したものであるにも関わらず、２つの音声信号が、著しく、異なっている、という判断をすることがない。尚、正側と負側の両方の振幅を比較する（二つの基準信号を使用する。）という問題解決方法も考えられるが、この方法は判定に多くの時間を要する問題点がある。
尚、上述の実施例では、基準音声信号と検査音声信号とを無音レベルを零とした負方向を正方向に逆転させたが、逆に、無音レベルを零とした正方向を負方向に逆転させてもよい。
また、この電気製品の音検査装置１では、無音として認識するための閾値Ｓｔｈ０を設定し、品質・信頼性試験の対象となる電気製品Ｓを用いて、録音した着信音等の音声信号を再生した音声信号中に、閾値Ｓｔｈ０以上の音声信号を検出した時点（比較開始位置Ｓ２）で、基準音声信号（図２に示すデータＤ１を参照。）と検査音声信号（図２に示すデータＤ２を参照。）とを、比較開始位置Ｓ１、Ｓ２から所定の時間、経時的に比較し、基準音声信号（図２に示すデータＤ１を参照。）と検査音声信号（図２に示すデータＤ２を参照。）との音量値の差が所定以上となる時間を累計し、その累計値が、予め設定された判定用閾値以上になった場合、品質・信頼性試験の対象となる電気製品を不良品と判断するようにしているので、従来の、２つの音声信号を、重ねたり、並列に表示したりした場合、２つの音声信号が同じか否かを、目視で行う必要がない。
【００５５】
即ち、この電気製品の音検査装置１を用いれば、電気製品が録音した着信音その他の音声信号を正確に再生できるか否かの品質・信頼性試験を、無人で機械によって行うことができる。
【００５６】
また、この電気製品の音検査装置１を用いれば、大きさ、形を認識させ、同一か否かを判断させるような複雑・高度の音声認識システムを用いることなく、電気製品Ｓが録音した着信音その他の音声信号を正確に再生できるか否かの品質・信頼性試験を、無人で機械によって行うことができる。
【００５７】
また、この電気製品の音検査装置１では、装置で自動的に、品質・信頼性試験の対象となる電気製品Ｓに録音する着信音その他の音情報サイトを呼び出すことができるようにしたので、品質・信頼性試験を、音情報サイトの呼び出し段階から、無人で機械によって行うことができる。
【産業上の利用可能性】
【００５８】
本発明に係る電気製品の音検査方法及び電気製品の音検査装置を用いれば、電気製品が録音した着信音その他の音声信号を正確に再生できるか否かの品質・信頼性試験を、無人で機械によって行うことができるので、本発明に係る電気製品の音検査方法及び電気製品の携帯電話等の情報端末機その他の電気製品の品質・信頼性試験に幅広く用いることができる。
【図面の簡単な説明】
【００５９】
【図１】本発明に係る電気製品の音検査装置の構成の一例を概略的に説明する構成図である。
【図２】本発明に係る電気製品の音検査方法の概念を概略的に示す説明図である。
【図３】無音レベルで正負方向に延在する変更前の音声信号を示す図である。
【符号の説明】
【００６０】
１  電気製品の音検査装置
２  演算処理手段
３  集音マイク
４  制御装置
５  表示手段
６  外部入力手段
７  外部入力手段入力操作手段
８  撮像手段
９  ケース体
Ｓ  電気製品
Ｓａ  キー入力部
Ｓｐ  スピーカ
【図１】
2006033734.tif 000003
【図２】
2006033734.tif 000004
【図３】
2006033734.tif 000005